(57)【要約】      （修正有）【課題】真空駆動吸引および灌注システムを提供する。【解決手段】真空補助吸引および灌注システム１０であって、吸引弁３６および灌注弁３８を支持する近位本体部分３４と、流体チャネル４２を画定する遠位本体部分４０と、を含む、吸引および灌注ワンド２２と、前記吸引および灌注ワンドの前記灌注弁に接続された灌注液供給部１２であって、前記灌注弁は、前記流体チャネルに灌注液を送達するように作動可能である。前記吸引弁は、前記流体チャネル内に真空を引くように作動可能である真空源１４に接続され、前記真空源は、前記吸引および灌注ワンドに送達される前記灌注液を加圧するための流体ポンプ１６に接続されている。【選択図】図１
2020065934.tif 000002
【特許請求の範囲】
【請求項１】
真空補助吸引および灌注システムであって、
吸引弁および灌注弁を支持する近位本体部分と、流体チャネルを画定する遠位本体部分と、を含む、吸引および灌注ワンドと、
前記吸引および灌注ワンドの前記灌注弁に接続された灌注液供給部であって、前記灌注弁は、前記吸引および灌注ワンドの前記流体チャネルに灌注液を送達するように作動可能である、灌注液供給部と、
前記吸引および灌注ワンドの前記吸引弁に接続された真空源であって、前記吸引弁は、前記流体チャネル内に真空を引くように作動可能である、真空源と、
前記吸引および灌注ワンドに灌注液を送達するように構成された流体ポンプであって、前記真空源は、前記吸引および灌注ワンドに送達される前記灌注液を加圧するために、前記流体ポンプに接続されている、流体ポンプと、を備える、真空補助吸引および灌注システム。
【請求項２】
前記流体ポンプは、ダイアフラム型ポンプである、請求項１に記載の吸引および灌注システム。
【請求項３】
前記流体ポンプは、第１のポンプ室と、第２のポンプ室と、を含み、前記第１のポンプ室は、第１のダイアフラムによって、第１の真空キャビティと、第１の流体キャビティと、に分割されており、前記第２のポンプ室は、第２のダイアフラムによって、第２の真空キャビティと、第２の流体キャビティと、に分割されている、請求項２に記載の吸引および灌注システム。
【請求項４】
前記第１のダイアフラムは、第１のピストンを支持し、前記第２のダイアフラムは、第２のピストンを支持する、請求項３に記載の吸引および灌注システム。
【請求項５】
前記第１のピストンは、ピストンシャフトによって前記第２のピストンに連結されている、請求項４に記載の吸引および灌注システム。
【請求項６】
前記流体ポンプは、真空室と、大気チャネルと、を含み、前記真空室は、前記真空源と連通し、前記大気チャネルは、大気と連通する、請求項５に記載の吸引および灌注システム。
【請求項７】
前記流体ポンプは、大気弁アセンブリと、前記第１の真空キャビティを前記大気チャネルと連通させる第１の内腔と、前記第２の真空キャビティを前記大気チャネルと連通させる第２の内腔と、を含む、請求項６に記載の吸引および灌注システム。
【請求項８】
前記大気弁アセンブリは、第１の弁部材と、第２の弁部材と、を含み、前記大気弁アセンブリは、前記第１の弁部材が前記第１の内腔を封止し、かつ前記第２の内腔が封止されていない第１の位置と、前記第２の封止部材が前記第２の内腔を封止し、かつ前記第１の内腔が封止されていない第２の位置との間で可動である、請求項７に記載の吸引および灌注システム。
【請求項９】
前記流体ポンプは、真空弁アセンブリと、前記第１の真空キャビティを前記真空室と連通させる第３の内腔と、前記第２の真空キャビティを前記真空室と連通させる第４の内腔と、を含む、請求項８に記載の吸引および灌注システム。
【請求項１０】
前記真空弁アセンブリは、第３の弁部材と、第４の弁部材と、を含み、前記真空弁アセンブリは、前記第３の弁部材が前記第３の内腔を封止し、かつ前記第４の内腔が封止されていない第１の位置と、前記第４の封止部材が前記第４の内腔を封止し、かつ前記第３の内腔が封止されていない第２の位置との間で可動である、請求項９に記載の吸引および灌注システム。
【請求項１１】
前記第１の弁部材は、第１の弁シャフトによって前記第２の弁部材に連結されており、前記第３の弁部材は、第２の弁シャフトによって前記第４の弁部材に連結されている、請求項１０に記載の吸引および灌注システム。
【請求項１２】
第１のフレーム部材および第２のフレーム部材をさらに含み、前記第１のフレーム部材は、前記第１および第２の弁シャフトの第１の端部を相互接続し、前記第２のフレーム部材は、前記第１および第２の弁シャフトの第２の端部を相互接続する、請求項１１に記載の吸引および灌注システム。
【請求項１３】
前記第１および第２ポンプ室の前記第１および第２真空キャビティの各々に隣接する前記本体上に支持された内側磁石をさらに含み、前記内側磁石の各々は、前記第１および第２のフレーム部材のそれぞれ１つを引き付けて、前記大気弁アセンブリおよび前記真空弁アセンブリをそれらのエンドストローク位置のうちの１つに向かって促すように配置されている、請求項１２に記載の吸引および灌注システム。
【請求項１４】
前記第１および第２のピストンの各々は、付勢機構を支持し、前記付勢機構は、前記第１および第２のフレーム部材のそれぞれ１つに係合して、前記第１および第２の弁シャフトをそれらのエンドストロークに促し、前記大気弁アセンブリおよび前記真空弁アセンブリの、それらの第１および第２のエンドストローク位置のうちの一方から、それらのエンドストローク位置の他方への遷移を遅延するように配置されている、請求項１３に記載の吸引および灌注システム。
【請求項１５】
前記第１および第２の付勢機構は各々、環状ばねおよび環状プレートを含み、前記環状ばねは、前記フレーム部材のそれぞれの１つと係合して前記環状プレートを維持して、前記ピストンシャフトが方向を変える際、前記大気弁アセンブリおよび前記真空弁アセンブリをそのエンドストローク位置に維持するように圧縮可能かつ拡張可能である、請求項１４に記載の吸引および灌注システム。
【請求項１６】
前記第１および第２のポンプ室の前記第１および第２の流体キャビティの各々に隣接する前記本体に支持された外側磁石をさらに含み、前記外側磁石は、前記流体ポンプが停止したときに、前記第１および第２のピストンのそれぞれ１つを、そのエンドストローク位置のうちの１つに向かって引き付けて、前記流体ポンプの再起動を容易にするように配置されている、請求項１３に記載の吸引および灌注システム。
【請求項１７】
前記灌注液供給部は、灌注液を収容する圧縮可能なパウチを含む、請求項１に記載の吸引および灌注システム。
【請求項１８】
前記流体ポンプは、ベース部材と、圧縮部材と、を含み、前記圧縮部材は、前記ベース部材に枢動可能に連結された第１の端部を有する、請求項１２に記載の吸引および灌注システム。
【請求項１９】
前記圧縮可能パウチは、前記ベース部材と前記圧縮部材との間に配置されている、請求項１３に記載の吸引および灌注システム。
【請求項２０】
前記流体ポンプは、前記ベース部材および前記圧縮部材に取り付けられたベローズを含み、前記ベローズは、前記圧縮可能パウチ内の灌注液の圧力を制御するために、収縮位置と拡張位置との間で可動である、請求項１４に記載の吸引および灌注システム。
【請求項２１】
流体ポンプであって、
第１のポンプ室、第２のポンプ室、真空室、および大気チャネルを画定する、本体であって、前記真空室は、前記真空源と連通し、前記大気チャネルは、大気と連通する、本体と、
前記第１ポンプ室を第１の真空キャビティと第１の流体キャビティとに分割する、第１のダイアフラムと、
前記第２ポンプ室を第２の真空キャビティと第２の流体キャビティに分割する、第２のダイアフラムと、
前記第１のダイアフラムによって支持された第１のピストンと、
前記第２のダイアフラムによって支持された第２のピストンであって、前記第１のピストンは、ピストンシャフトによって前記第２のピストンに連結され、前記第１および第２のピストンは、第１および第２エンドストローク位置間で一致して可動である、第２のピストンと、
前記第１の真空キャビティを前記大気チャネルと連通させる第１の内腔、前記第２の真空キャビティを前記大気チャネルと連通させる第２の内腔、前記第１の真空キャビティを前記真空室と連通させる第３の内腔、および前記第２の真空キャビティを前記真空室と連通させる第４の内腔と、
第１の弁部材および第２の弁部材を含む、大気弁アセンブリであって、前記大気弁アセンブリは、前記第１の弁部材が前記第１の内腔を封止し、かつ前記第２の内腔が封止されていない第１のエンドストローク位置と、前記第２の封止部材が前記第２の内腔を封止し、かつ前記第１の内腔が封止されていない第２のエンドストローク位置との間で可動であり、前記第１の弁部材は、第２のピストンシャフトによって、前記第２の弁部材に連結されている、大気弁アセンブリと、
第３の弁部材および第４の弁部材を含む、真空弁アセンブリであって、前記真空弁アセンブリは、前記第３の弁部材が前記第３の内腔を封止し、かつ前記第４の内腔が封止されていない第１のエンドストローク位置と、前記第４の封止部材が前記第４の内腔を封止し、かつ前記第３の内腔が封止されていない第２のエンドストローク位置との間で可動であり、前記第３の弁部材は、第３のピストンシャフトによって、第４の弁部材に連結されている、真空弁アセンブリと、
第１および第２のフレーム部材であって、前記第１のフレーム部材は、前記第２および第３のピストンシャフトの第１の端部を相互接続し、前記第２のフレーム部材は、前記第２および第３のピストンシャフトの第２の端部を相互接続する、第１および第２のフレーム部材と、を備える、流体ポンプ。
【請求項２２】
前記第１および第２のポンプ室の前記第１および第２の真空キャビティの各々に隣接する前記流体ポンプの前記本体上に支持された内側磁石をさらに含み、前記内側磁石の各々は、前記第１および第２のフレーム部材のそれぞれ１つを引き付けて、前記真空弁アセンブリおよび前記大気弁アセンブリをそれらの第１および第２のエンドストローク位置のうちの１つに向かって促すように配置されている、請求項２１に記載の流体ポンプ。
【請求項２３】
前記第１および第２のピストンの各々は、付勢機構を支持し、前記付勢機構は、前記第１および第２のフレーム部材のそれぞれ１つに係合して、前記第１および第２のピストンシャフトをそれらのエンドストローク位置に向けて促して、前記大気弁アセンブリおよび前記真空弁アセンブリの、それらの第１および第２のエンドストローク位置のうちの一方から、前記第１および第２のエンドストローク位置の他方に向かう遷移を遅延するように配置されている、請求項２２に記載の流体ポンプ。
【請求項２４】
前記第１および第２の付勢機構は各々、環状ばねおよび環状プレートを含み、前記環状ばねは、前記フレーム部材のそれぞれの１つと係合して前記環状プレートを維持して、前記第１ピストンシャフトが方向を変える際、前記大気弁アセンブリおよび前記真空弁アセンブリをその第１および第２のエンドストローク位置のうちの１つに維持するように圧縮可能かつ拡張可能である、請求項２３に記載の流体ポンプ。
【請求項２５】
前記第１および第２のポンプ室の前記第１および第２の流体キャビティの各々に隣接する前記本体に支持された外側磁石をさらに含み、前記外側磁石は、前記流体ポンプが停止したときに、前記第１および第２のピストンのそれぞれ１つを、そのエンドストローク位置に向かって引き付けて、前記流体ポンプの再起動を容易にするように配置されている、請求項２１に記載の流体ポンプ。
【請求項２６】
流体ポンプであって、
第１のポンプ室、第２のポンプ室、真空室、および大気チャネルを画定する、本体であって、前記真空室は、前記真空源と連通し、前記大気チャネルは、大気と連通する、本体と、
前記第１ポンプ室を第１の真空キャビティと第１の流体キャビティとに分割する、第１のダイアフラムと、
前記第２ポンプ室を第２の真空キャビティと第２の流体キャビティに分割する、第２のダイアフラムと、
前記第１のダイアフラムによって支持された第１のピストンと、
前記第２のダイアフラムによって支持された第２のピストンであって、前記第１のピストンは、第１のピストンシャフトによって前記第２のピストンに連結され、前記第１および第２のピストンは、第１および第２エンドストローク位置間で一致して可動である、第２のピストンと、
前記第１の真空キャビティを前記大気チャネルと連通させる第１の内腔、前記第２の真空キャビティを前記大気チャネルと連通させる第２の内腔、前記第１の真空キャビティを前記真空室と連通させる第３の内腔、および前記第２の真空キャビティを前記真空室と連通させる第４の内腔と、
第１の弁部材および第２の弁部材を含む、大気弁アセンブリであって、前記大気弁アセンブリは、前記第１の弁部材が前記第１の内腔を封止し、かつ前記第２の内腔が封止されていない第１のエンドストローク位置と、前記第２の封止部材が前記第２の内腔を封止し、かつ前記第１の内腔が封止されていない第２のエンドストローク位置との間で可動であり、第１の弁部材は、第２のピストンシャフトによって、前記第２の弁部材に連結されている、大気弁アセンブリと、
第３の弁部材および第４の弁部材を含む、真空弁アセンブリであって、前記真空弁アセンブリは、前記第３の弁部材が前記第３の内腔を封止し、かつ前記第４の内腔が封止されていない第１のエンドストローク位置と、前記第４の封止部材が前記第４の内腔を封止し、かつ前記第３の内腔が封止されていない第２のエンドストローク位置との間で可動であり、前記第３の弁部材は、第３のピストンシャフトによって、第４の弁部材に連結されている、真空弁アセンブリと、
前記第１および第２のポンプ室の前記第１および第２の流体キャビティの各々に隣接する前記本体に支持された外側磁石であって、前記流体ポンプが停止したときに、前記第１および第２のピストンのそれぞれ１つを、そのエンドストローク位置に向かって引き付けて、前記流体ポンプの再起動を容易にするように配置されている、外側磁石と、を備える、流体ポンプ。
【発明の詳細な説明】
【技術分野】
【０００１】
関連出願の相互参照
本出願は、２０１９年１０月２５日に出願された米国仮特許出願第６２／７５０，３０１号の利益を主張する、２０１９年１０月１日に出願された、米国特許出願第１６／５８９，６５１号の一部継続出願であり、その全内容は、参照により本明細書に組み込まれる。
背景
【０００２】
１．技術分野
本開示は、吸引および灌注システムに関し、より具体的には、真空補助吸引および灌注システムに関する。
【背景技術】
【０００３】
２．背景技術
手術部位に吸引および灌注の両方を提供する外科用器具を含む吸引および灌注システムはよく知られている。典型的に、そのようなシステムは、吸引を提供するために外科用器具に連結された真空源と、外科用器具に灌注液を送達するための電動、例えばバッテリー駆動ポンプとを含む。したがって、外科用器具を使用するには２種類の動力源が必要である。
【０００４】
手術室ですでに利用可能な単一のエネルギー源、すなわち真空を使用して動作できる吸引および灌注システムが、外科分野で継続的に必要とされている。
【発明の概要】
【課題を解決するための手段】
【０００５】
本開示の一態様は、吸引および灌注ワンドと、灌注液供給部と、真空源と、流体ポンプと、を含む、真空補助吸引および灌注システムに関する。吸引および灌注ワンドは、吸引弁および灌注弁を支持する近位本体部分と、流体チャネルを画定する遠位本体部分とを含む。灌注液供給部は、吸引および灌注ワンドの灌注弁に接続されている。灌注弁は、吸引および灌注ワンドの流体チャネルに灌注液を送達するように作動可能である。真空源は、吸引および灌注ワンドの吸引弁に接続されている。吸引弁は、流体チャネル内に真空を引くように作動可能である。流体ポンプは、吸引および灌注ワンドに流体を送達するように配置されている。真空源は、灌注液を加圧するために、流体ポンプに接続されている。
【０００６】
本開示の別の態様では、流体ポンプは、本体と、第１のダイアフラムと、第２のダイアフラムと、第１のピストンと、第２のピストンと、大気弁アセンブリと、真空弁アセンブリと、第１および第２のフレーム部材と、を含む。本体は、第１のポンプ室、第２のポンプ室、真空室、および大気チャネルを画定する。真空室は、真空源と連通し、大気チャネルは、大気と連通する。第１のダイアフラムは、第１のポンプ室を、第１の真空キャビティと第１の流体キャビティとに分割し、第２のダイアフラムは、第２のポンプ室を、第２の真空キャビティと第２の流体キャビティとに分割する。第１のピストンは、第１のダイアフラムによって支持され、第２のピストンは、第２のダイアフラムによって支持される。第１のピストンは、第１および第２のピストンが、第１および第２のエンドストローク位置の間で一致して可動であるように、ピストンシャフトによって第２のピストンに連結される。本体は、第１の真空キャビティを大気チャネルと連通させる第１の内腔と、第２の真空キャビティを大気チャネルと連通させる第２の内腔と、第１の真空キャビティを真空室と連通させる第３の内腔と、第２の真空キャビティを真空室と連通させる第４の内腔と、を画定する。大気弁アセンブリは、第１の弁部材と、第２の弁部材と、を含む。大気弁アセンブリは、第１の弁部材が第１の内腔を封止し、かつ第２の内腔が封止されていない第１のエンドストローク位置と、第２の封止部材が第２の内腔を封止し、かつ第１の内腔が封止されていない第２のエンドストローク位置との間で可動である。第１の弁部材は、第１の弁シャフトによって、第２の弁部材に連結されている。真空弁アセンブリは、第３弁部材と、第４弁部材と、を含む。真空弁アセンブリは、第３の弁部材が第３の内腔を封止し、かつ第４の内腔が封止されていない第１のエンドストローク位置と、第４の封止部材が第４の内腔を封止し、かつ第３の内腔が封止されていない第２のエンドストローク位置との間で可動である。第３の弁部材は、第２の弁シャフトによって、第４の弁部材に連結される。第１のフレーム部材は、第１および第２の弁シャフトの第１の端部を相互接続し、第２のフレーム部材は、第１および第２の弁シャフトの第２の端部を相互接続する。
【０００７】
本開示のいくつかの態様では、流体ポンプは、ダイアフラム型ポンプである。
【０００８】
いくつかの態様では、流体ポンプは、第１のポンプ室と、第２のポンプ室と、を含む。第１のポンプ室は、第１のダイアフラムによって第１の真空キャビティと第１の流体キャビティとに分割し、第２のポンプ室は、第２のダイアフラムによって第２の真空キャビティと第２の流体キャビティとに分割されている。
【０００９】
本開示の特定の態様では、第１のダイアフラムは、第１のピストンまたはシャフトホルダを支持し、第２のダイアフラムは、第２のピストンまたはシャフトホルダを支持する。
【００１０】
本開示の態様では、第１のピストンは、ピストンシャフトによって、第２のピストンに連結されている。
【００１１】
本開示のいくつかの態様では、流体ポンプは、真空室と、大気チャネルと、を含み、真空室は、真空源と連通し、大気チャネルは、大気と連通する。
【００１２】
本開示の特定の態様では、流体ポンプは、大気弁アセンブリと、第１の真空キャビティを大気チャネルと連通させる第１の内腔と、第２の真空キャビティを大気チャネルと連通させる第２の内腔と、を含む。
【００１３】
本開示の態様では、大気弁アセンブリは、第１の弁部材と、第２の弁部材と、を含み、第１の弁部材が第１の内腔を封止し、かつ第２の内腔が封止されていない第１の位置と、第２の封止部材が第２の内腔を封止し、かつ第１の内腔が封止されていない第２の位置との間で可動である。
【００１４】
本開示のいくつかの態様では、流体ポンプは、真空弁アセンブリと、第１の真空キャビティを真空室と連通させる第３の内腔と、第２の真空キャビティを真空室と連通させる第４の内腔と、を含む。
【００１５】
本開示の特定の態様では、真空弁アセンブリは、第３の弁部材と、第４の弁部材と、を含み、第３の弁部材が第３の内腔を封止し、かつ第４の内腔が封止されていない第１の位置と、第４の封止部材が第４の内腔を封止し、かつ第３の内腔が封止されていない第２の位置との間で可動である。
【００１６】
本開示の態様では、第１の弁部材は、第１の弁シャフトによって第２の弁部材に連結されており、第３の弁部材は、第２の弁シャフトによって第４の弁部材に連結されている。
【００１７】
本開示のいくつかの態様では、灌注液供給部は、圧縮可能なパウチを含む。
【００１８】
本開示の特定の態様では、流体ポンプは、ベース部材と、ベース部材に枢動可能に連結された第１の端部を有する圧縮部材と、を含む。
【００１９】
本開示の態様では、圧縮可能パウチは、ベース部材と圧縮部材との間に配置されている。
【００２０】
本開示のいくつかの態様では、流体ポンプは、ベース部材および圧縮部材に取り付けられている、ベローズを含む。ベローズは、圧縮可能パウチ内の灌注液の圧力を制御するために、収縮位置と拡張位置との間で可動である。
【００２１】
本開示の特定の態様では、流体ポンプは、第１のフレーム部材と、第２のフレーム部材と、を含み、第１のフレーム部材は、第１および第２の弁シャフトの第１の端部を相互接続し、第２のフレーム部材は、第１および第２の弁シャフトの第２の端部を相互接続する。
【００２２】
本開示の態様において、内側磁石は、第１および第２のポンプ室の第１および第２の真空キャビティの各々に隣接する本体上に支持され、内側磁石の各々は、第１および第２のフレーム部材のそれぞれ１つを引き付けて、大気弁アセンブリおよび真空弁アセンブリをそれらのエンドストローク位置のうちの１つに向かって促すように配置されている。
【００２３】
本開示の態様では、第１および第２のピストンの各々は、付勢機構を支持し、付勢機構は、第１および第２のフレーム部材のそれぞれ１つに係合して、第１および第２の弁シャフトをそれらのエンドストロークのうちの１つに促し、大気弁アセンブリおよび真空弁アセンブリの、それらの第１および第２エンドストローク位置のうちの一方から、それらのエンドストローク位置の他方への遷移を遅延するように配置されている。
【００２４】
本開示のいくつかの態様では、第１および第２の付勢機構は各々、環状ばねおよび環状プレートを含み、環状ばねは、フレーム部材のそれぞれの１つと係合して環状プレートを維持して、ピストンシャフトが方向を変える際、大気弁アセンブリおよび真空弁アセンブリをそのエンドストローク位置に維持するように圧縮可能かつ拡張可能である。
【００２５】
本開示の特定の態様では、外側磁石は、第１および第２のポンプ室の第１および第２の流体キャビティの各々に隣接する本体に支持され、外側磁石は、流体ポンプが停止したときに、第１および第２のピストンのそれぞれ１つを、そのエンドストローク位置のうちの１つに向かって引き付けて、流体ポンプの再起動を容易にするように配置されている。
【００２６】
本開示の別の態様において、流体ポンプは、本体と、第１のダイアフラムと、第２のダイアフラムと、第１のピストンと、第２のピストンと、大気弁アセンブリと、真空弁アセンブリと、外側磁石と、を含む。本体は、第１のポンプ室、第２のポンプ室、真空室、および大気チャネルを画定する。真空室は、真空源と連通し、大気チャネルは、大気と連通する。第１のダイアフラムは、第１のポンプ室を、第１の真空キャビティと第１の流体キャビティとに分割し、第２のダイアフラムは、第２のポンプ室を、第２の真空キャビティと第２の流体キャビティとに分割する。第１のピストンは、第１のダイアフラムによって支持され、第２のピストンは、第２のダイアフラムによって支持される。第１のピストンは、第１および第２のピストンが、第１および第２のエンドストローク位置の間で一致して可動であるように、ピストンシャフトによって第２のピストンに連結される。本体は、第１の真空キャビティを大気チャネルと連通させる第１の内腔と、第２の真空キャビティを大気チャネルと連通させる第２の内腔と、第１の真空キャビティを真空室と連通させる第３の内腔と、第２の真空キャビティを真空室と連通させる第４の内腔と、を画定する。大気弁アセンブリは、第１の弁部材と、第２の弁部材と、を含む。大気弁アセンブリは、第１の弁部材が第１の内腔を封止し、かつ第２の内腔が封止されていない第１のエンドストローク位置と、第２の封止部材が第２の内腔を封止し、かつ第１の内腔が封止されていない第２のエンドストローク位置との間で可動である。第１の弁部材は、第１の弁シャフトによって、第２の弁部材に連結されている。真空弁アセンブリは、第３弁部材と、第４弁部材と、を含む。真空弁アセンブリは、第３の弁部材が第３の内腔を封止し、かつ第４の内腔が封止されていない第１のエンドストローク位置と、第４の封止部材が第４の内腔を封止し、かつ第３の内腔が封止されていない第２のエンドストローク位置との間で可動である。第３の弁部材は、第２の弁シャフトによって、第４の弁部材に連結される。外側磁石は、第１および第２のポンプ室の第１および第２の流体キャビティの各々に隣接する本体上に支持され、流体ポンプが停止したときに、第１および第２のピストンのそれぞれ１つを、そのエンドストローク位置に向かって引き付けて、流体ポンプの再起動を容易にするように配置されている。
例えば、本願は以下の項目を提供する。
（項目１）
真空補助吸引および灌注システムであって、
吸引弁および灌注弁を支持する近位本体部分と、流体チャネルを画定する遠位本体部分と、を含む、吸引および灌注ワンドと、
上記吸引および灌注ワンドの上記灌注弁に接続された灌注液供給部であって、上記灌注弁は、上記吸引および灌注ワンドの上記流体チャネルに灌注液を送達するように作動可能である、灌注液供給部と、
上記吸引および灌注ワンドの上記吸引弁に接続された真空源であって、上記吸引弁は、上記流体チャネル内に真空を引くように作動可能である、真空源と、
上記吸引および灌注ワンドに灌注液を送達するように構成された流体ポンプであって、上記真空源は、上記吸引および灌注ワンドに送達される上記灌注液を加圧するために、上記流体ポンプに接続されている、流体ポンプと、を備える、真空補助吸引および灌注システム。
（項目２）
上記流体ポンプは、ダイアフラム型ポンプである、上記項目に記載の吸引および灌注システム。
（項目３）
上記流体ポンプは、第１のポンプ室と、第２のポンプ室と、を含み、上記第１のポンプ室は、第１のダイアフラムによって、第１の真空キャビティと、第１の流体キャビティと、に分割されており、上記第２のポンプ室は、第２のダイアフラムによって、第２の真空キャビティと、第２の流体キャビティと、に分割されている、上記項目のいずれか一項に記載の吸引および灌注システム。
（項目４）
上記第１のダイアフラムは、第１のピストンを支持し、上記第２のダイアフラムは、第２のピストンを支持する、上記項目のいずれか一項に記載の吸引および灌注システム。
（項目５）
上記第１のピストンは、ピストンシャフトによって上記第２のピストンに連結されている、上記項目のいずれか一項に記載の吸引および灌注システム。
（項目６）
上記流体ポンプは、真空室と、大気チャネルと、を含み、上記真空室は、上記真空源と連通し、上記大気チャネルは、大気と連通する、上記項目のいずれか一項に記載の吸引および灌注システム。
（項目７）
上記流体ポンプは、大気弁アセンブリと、上記第１の真空キャビティを上記大気チャネルと連通させる第１の内腔と、上記第２の真空キャビティを上記大気チャネルと連通させる第２の内腔と、を含む、上記項目のいずれか一項に記載の吸引および灌注システム。
（項目８）
上記大気弁アセンブリは、第１の弁部材と、第２の弁部材と、を含み、上記大気弁アセンブリは、上記第１の弁部材が上記第１の内腔を封止し、かつ上記第２の内腔が封止されていない第１の位置と、上記第２の封止部材が上記第２の内腔を封止し、かつ上記第１の内腔が封止されていない第２の位置との間で可動である、上記項目のいずれか一項に記載の吸引および灌注システム。
（項目９）
上記流体ポンプは、真空弁アセンブリと、上記第１の真空キャビティを上記真空室と連通させる第３の内腔と、上記第２の真空キャビティを上記真空室と連通させる第４の内腔と、を含む、上記項目のいずれか一項に記載の吸引および灌注システム。
（項目１０）
上記真空弁アセンブリは、第３の弁部材と、第４の弁部材と、を含み、上記真空弁アセンブリは、上記第３の弁部材が上記第３の内腔を封止し、かつ上記第４の内腔が封止されていない第１の位置と、上記第４の封止部材が上記第４の内腔を封止し、かつ上記第３の内腔が封止されていない第２の位置との間で可動である、上記項目のいずれか一項に記載の吸引および灌注システム。
（項目１１）
上記第１の弁部材は、第１の弁シャフトによって上記第２の弁部材に連結されており、上記第３の弁部材は、第２の弁シャフトによって上記第４の弁部材に連結されている、上記項目のいずれか一項に記載の吸引および灌注システム。
（項目１２）
第１のフレーム部材および第２のフレーム部材をさらに含み、上記第１のフレーム部材は、上記第１および第２の弁シャフトの第１の端部を相互接続し、上記第２のフレーム部材は、上記第１および第２の弁シャフトの第２の端部を相互接続する、上記項目のいずれか一項に記載の吸引および灌注システム。
（項目１３）
上記第１および第２ポンプ室の上記第１および第２真空キャビティの各々に隣接する上記本体上に支持された内側磁石をさらに含み、上記内側磁石の各々は、上記第１および第２のフレーム部材のそれぞれ１つを引き付けて、上記大気弁アセンブリおよび上記真空弁アセンブリをそれらのエンドストローク位置のうちの１つに向かって促すように配置されている、上記項目のいずれか一項に記載の吸引および灌注システム。
（項目１４）
上記第１および第２のピストンの各々は、付勢機構を支持し、上記付勢機構は、上記第１および第２のフレーム部材のそれぞれ１つに係合して、上記第１および第２の弁シャフトをそれらのエンドストロークに促し、上記大気弁アセンブリおよび上記真空弁アセンブリの、それらの第１および第２のエンドストローク位置のうちの一方から、それらのエンドストローク位置の他方への遷移を遅延するように配置されている、上記項目のいずれか一項に記載の吸引および灌注システム。
（項目１５）
上記第１および第２の付勢機構は各々、環状ばねおよび環状プレートを含み、上記環状ばねは、上記フレーム部材のそれぞれの１つと係合して上記環状プレートを維持して、上記ピストンシャフトが方向を変える際、上記大気弁アセンブリおよび上記真空弁アセンブリをそのエンドストローク位置に維持するように圧縮可能かつ拡張可能である、上記項目のいずれか一項に記載の吸引および灌注システム。
（項目１６）
上記第１および第２のポンプ室の上記第１および第２の流体キャビティの各々に隣接する上記本体に支持された外側磁石をさらに含み、上記外側磁石は、上記流体ポンプが停止したときに、上記第１および第２のピストンのそれぞれ１つを、そのエンドストローク位置のうちの１つに向かって引き付けて、上記流体ポンプの再起動を容易にするように配置されている、上記項目のいずれか一項に記載の吸引および灌注システム。
（項目１７）
上記灌注液供給部は、灌注液を収容する圧縮可能なパウチを含む、上記項目のいずれか一項に記載の吸引および灌注システム。
（項目１８）
上記流体ポンプは、ベース部材と、圧縮部材と、を含み、上記圧縮部材は、上記ベース部材に枢動可能に連結された第１の端部を有する、上記項目のいずれか一項に記載の吸引および灌注システム。
（項目１９）
上記圧縮可能パウチは、上記ベース部材と上記圧縮部材との間に配置されている、上記項目のいずれか一項に記載の吸引および灌注システム。
（項目２０）
上記流体ポンプは、上記ベース部材および上記圧縮部材に取り付けられたベローズを含み、上記ベローズは、上記圧縮可能パウチ内の灌注液の圧力を制御するために、収縮位置と拡張位置との間で可動である、上記項目のいずれか一項に記載の吸引および灌注システム。
（項目２１）
流体ポンプであって、
第１のポンプ室、第２のポンプ室、真空室、および大気チャネルを画定する、本体であって、上記真空室は、上記真空源と連通し、上記大気チャネルは、大気と連通する、本体と、
上記第１ポンプ室を第１の真空キャビティと第１の流体キャビティとに分割する、第１のダイアフラムと、
上記第２ポンプ室を第２の真空キャビティと第２の流体キャビティに分割する、第２のダイアフラムと、
上記第１のダイアフラムによって支持された第１のピストンと、
上記第２のダイアフラムによって支持された第２のピストンであって、上記第１のピストンは、ピストンシャフトによって上記第２のピストンに連結され、上記第１および第２のピストンは、第１および第２エンドストローク位置間で一致して可動である、第２のピストンと、
上記第１の真空キャビティを上記大気チャネルと連通させる第１の内腔、上記第２の真空キャビティを上記大気チャネルと連通させる第２の内腔、上記第１の真空キャビティを上記真空室と連通させる第３の内腔、および上記第２の真空キャビティを上記真空室と連通させる第４の内腔と、
第１の弁部材および第２の弁部材を含む、大気弁アセンブリであって、上記大気弁アセンブリは、上記第１の弁部材が上記第１の内腔を封止し、かつ上記第２の内腔が封止されていない第１のエンドストローク位置と、上記第２の封止部材が上記第２の内腔を封止し、かつ上記第１の内腔が封止されていない第２のエンドストローク位置との間で可動であり、上記第１の弁部材は、第２のピストンシャフトによって、上記第２の弁部材に連結されている、大気弁アセンブリと、
第３の弁部材および第４の弁部材を含む、真空弁アセンブリであって、上記真空弁アセンブリは、上記第３の弁部材が上記第３の内腔を封止し、かつ上記第４の内腔が封止されていない第１のエンドストローク位置と、上記第４の封止部材が上記第４の内腔を封止し、かつ上記第３の内腔が封止されていない第２のエンドストローク位置との間で可動であり、上記第３の弁部材は、第３のピストンシャフトによって、第４の弁部材に連結されている、真空弁アセンブリと、
第１および第２のフレーム部材であって、上記第１のフレーム部材は、上記第２および第３のピストンシャフトの第１の端部を相互接続し、上記第２のフレーム部材は、上記第２および第３のピストンシャフトの第２の端部を相互接続する、第１および第２のフレーム部材と、を備える、流体ポンプ。
（項目２２）
上記第１および第２のポンプ室の上記第１および第２の真空キャビティの各々に隣接する上記流体ポンプの上記本体上に支持された内側磁石をさらに含み、上記内側磁石の各々は、上記第１および第２のフレーム部材のそれぞれ１つを引き付けて、上記真空弁アセンブリおよび上記大気弁アセンブリをそれらの第１および第２のエンドストローク位置のうちの１つに向かって促すように配置されている、上記項目に記載の流体ポンプ。
（項目２３）
上記第１および第２のピストンの各々は、付勢機構を支持し、上記付勢機構は、上記第１および第２のフレーム部材のそれぞれ１つに係合して、上記第１および第２のピストンシャフトをそれらのエンドストローク位置に向けて促して、上記大気弁アセンブリおよび上記真空弁アセンブリの、それらの第１および第２のエンドストローク位置のうちの一方から、上記第１および第２のエンドストローク位置の他方に向かう遷移を遅延するように配置されている、上記項目のいずれか一項に記載の流体ポンプ。
（項目２４）
上記第１および第２の付勢機構は各々、環状ばねおよび環状プレートを含み、上記環状ばねは、上記フレーム部材のそれぞれの１つと係合して上記環状プレートを維持して、上記第１ピストンシャフトが方向を変える際、上記大気弁アセンブリおよび上記真空弁アセンブリをその第１および第２のエンドストローク位置のうちの１つに維持するように圧縮可能かつ拡張可能である、上記項目のいずれか一項に記載の流体ポンプ。
（項目２５）
上記第１および第２のポンプ室の上記第１および第２の流体キャビティの各々に隣接する上記本体に支持された外側磁石をさらに含み、上記外側磁石は、上記流体ポンプが停止したときに、上記第１および第２のピストンのそれぞれ１つを、そのエンドストローク位置に向かって引き付けて、上記流体ポンプの再起動を容易にするように配置されている、上記項目のいずれか一項に記載の流体ポンプ。
（項目２６）
流体ポンプであって、
第１のポンプ室、第２のポンプ室、真空室、および大気チャネルを画定する、本体であって、上記真空室は、上記真空源と連通し、上記大気チャネルは、大気と連通する、本体と、
上記第１ポンプ室を第１の真空キャビティと第１の流体キャビティとに分割する、第１のダイアフラムと、
上記第２ポンプ室を第２の真空キャビティと第２の流体キャビティに分割する、第２のダイアフラムと、
上記第１のダイアフラムによって支持された第１のピストンと、
上記第２のダイアフラムによって支持された第２のピストンであって、上記第１のピストンは、第１のピストンシャフトによって上記第２のピストンに連結され、上記第１および第２のピストンは、第１および第２エンドストローク位置間で一致して可動である、第２のピストンと、
上記第１の真空キャビティを上記大気チャネルと連通させる第１の内腔、上記第２の真空キャビティを上記大気チャネルと連通させる第２の内腔、上記第１の真空キャビティを上記真空室と連通させる第３の内腔、および上記第２の真空キャビティを上記真空室と連通させる第４の内腔と、
第１の弁部材および第２の弁部材を含む、大気弁アセンブリであって、上記大気弁アセンブリは、上記第１の弁部材が上記第１の内腔を封止し、かつ上記第２の内腔が封止されていない第１のエンドストローク位置と、上記第２の封止部材が上記第２の内腔を封止し、かつ上記第１の内腔が封止されていない第２のエンドストローク位置との間で可動であり、第１の弁部材は、第２のピストンシャフトによって、上記第２の弁部材に連結されている、大気弁アセンブリと、
第３の弁部材および第４の弁部材を含む、真空弁アセンブリであって、上記真空弁アセンブリは、上記第３の弁部材が上記第３の内腔を封止し、かつ上記第４の内腔が封止されていない第１のエンドストローク位置と、上記第４の封止部材が上記第４の内腔を封止し、かつ上記第３の内腔が封止されていない第２のエンドストローク位置との間で可動であり、上記第３の弁部材は、第３のピストンシャフトによって、第４の弁部材に連結されている、真空弁アセンブリと、
上記第１および第２のポンプ室の上記第１および第２の流体キャビティの各々に隣接する上記本体に支持された外側磁石であって、上記流体ポンプが停止したときに、上記第１および第２のピストンのそれぞれ１つを、そのエンドストローク位置に向かって引き付けて、上記流体ポンプの再起動を容易にするように配置されている、外側磁石と、を備える、流体ポンプ。
（摘要）
真空支援吸引および灌注システムは、吸引および灌注ワンドと、灌注液供給部と、真空源と、流体ポンプと、を含む。真空源は、吸引および灌注ワンドの吸引弁に接続され、吸引および灌注ワンド内に吸引を提供する。灌注液供給部は、流体ポンプを介して吸引および灌注ワンドに接続され、加圧された灌注液を吸引および灌注ワンドに供給する。真空源は、流体ポンプに接続され、吸引および灌注ワンドに送達される灌注液を加圧する。
【図面の簡単な説明】
【００２７】
以下、開示される真空補助吸引および灌注システムの様々な態様を、図面を参照して、本明細書において以下に説明する。
【図１】開示される真空補助吸引および灌注システムの例示的な態様の側面透視断面図である。
【図２】図１に示す真空補助吸引および灌注システムの流体ポンプの側面斜視図である。
【図３】図２の流体ポンプの分解斜視図である。
【図４】図３に示す領域の細部拡大図である。
【図５】図２に示す流体ポンプの弁アセンブリの側面斜視図である。
【図６】図２の切断線６−６に沿った断面図である。
【図７】図２の切断線７−７に沿った断面図である。
【図８】流体が流体ポンプの第１のポンプ室から圧送されるときの、図２に示す流体ポンプの側面断面図である。
【図９】図８の切断線９−９に沿った断面図である。
【図１０】流体が流体ポンプの第２のポンプ室から圧送されるときの、図２に示す流体ポンプの側面断面図である。
【図１１】図１０の切断線１１−１１に沿った断面図である。
【図１２】開示される真空補助吸引および灌注システムの別の例示的な態様の概略側面斜視図である。
【図１３】図１２に示す真空補助吸引および灌注システムの流体ポンプの側面断面図である。
【図１４】図１に示す真空補助吸引および灌注システムの代替流体ポンプの第１の端部からの側面斜視図である。
【図１５】図１４に示す流体ポンプの第２の端部からの側面斜視図である。
【図１６】図１５に示す流体ポンプの分解側面斜視図である。
【図１７】第１のポンプ室カバーが取り外されている、図１５に示す流体ポンプの側面斜視図である。
【図１８】流体ポンプのピストンシャフトが第１の位置にある、図１４の断面線１８−１８に沿った断面図である。
【図１９】図１８の断面線１９−１９に沿った断面図である。
【図２０】流体ポンプのピストンシャフトが第２の位置にある、図１４の断面線１８−１８に沿った断面図である。
【図２１】図２０の断面線２１−２１に沿った断面図である。
【発明を実施するための形態】
【００２８】
開示される真空補助吸引および灌注システムの例示的な態様を図面を参照しながら詳細に説明するが、これらの図面では、同様の参照番号は、幾つかの図の各々において同一の要素または対応する要素を指している。しかしながら、システムの開示される態様が、本開示の単なる例示に過ぎず、様々な形態で具現化され得ることを理解されたい。周知の機能または構成は、不必要な詳細で本開示を曖昧にすることを避けるために、詳細には記載されない。それゆえに、本明細書で開示される特定の構造的および機能的な詳細は、限定として解釈されるべきではなく、単に特許請求の範囲の基礎として、かつ本開示を実質的に任意の適切に詳細な構造として様々に用いるために当業者に教示するための代表的な基礎として解釈されるべきである。
【００２９】
この説明では、「近位」という用語は、一般的に、臨床医に近い方の器具の当該部分を指して使用されるのに対し、「遠位」という用語は普通、臨床医から遠い方の器具の当該部分を指して使用される。さらに、「臨床医」」という用語は、一般的に、医師、看護師、および支援要員を含む医療従事者を指して使用される。
【００３０】
開示される真空補助吸引および灌注システムの例示的な態様を、図１にシステム１０として概略的に示す。システム１０は、灌注液供給部１２と、真空源１４と、流体ポンプ１６と、吸引容器１８と、吸引および灌注ワンド２２と、を含む。デバイス１０の構成要素は、以下でさらに詳細に説明するように、流体導管２４〜３２で互いに流体連結されている。
【００３１】
吸引および灌注ワンド２２は、近位本体部分３４と、遠位本体部分４０と、を含む。近位本体部分３４は、吸引弁３６および灌注弁３８を支持する。遠位本体部分４０は、吸引弁３６および灌注弁３８のどの弁が作動されるかに応じて、流体を受容または分配するための流体チャネル４２を画定する。本開示の態様では、吸引および灌注ワンド２２の近位本体部分３４は、流体導管２４および２６によって灌注液供給部１２に接続され、したがって、灌注弁３８の作動時に、灌注液が、吸引および灌注ワンド２２の遠位本体部分４０の流体チャネル４２に送達される。同様に、吸引および灌注ワンド２２の近位本体部分３４は、吸引容器１８を介して流体導管３０および３２によって真空源１４に接続されている。吸引弁３６の作動時に、吸引および灌注ワンド２２の遠位本体部分４０の流体チャネル４２に真空が生成され、流体を流体チャネル４２に引き込む。
【００３２】
本開示のいくつかの態様では、吸引および灌注ワンド２２は、流体導管３２を介して吸引容器１８と連通し、吸引容器１８は、流体導管３０を介して真空源１４と連通する。そのため、真空源１４により吸引容器１８内に真空が維持される。次いで、吸引弁３６が作動されると、吸引および灌注ワンド２２内の流体チャネル４２は吸引容器２０と連通し、流体チャネル４２内に真空を惹起する。血液、組織、生理食塩水など、吸引および灌注ワンド２２のチャネル４２内に引き込まれるすべての材料は、吸引容器２０に送達され、その中に収集される。
【００３３】
本開示のいくつかの態様では、灌注供給部１２は、流体導管２４によって流体ポンプ１６に連結され、流体ポンプ１６は、流体導管２６によって吸引および灌注ワンド２２に連結される。灌注弁３８が作動すると、灌注液供給部１２内からの流体が、流体ポンプ１６を介して吸引および灌注ワンド２２に送達される。本開示のいくつかの態様では、以下でさらに詳細に説明するように、灌注液供給部１２は、吸引および灌注ワンド２２に直接接続され得、代替手段が、灌注液供給部１２を加圧するように提供され得る。
【００３４】
図２〜図７は、流体ポンプ１６の例示的な態様を示している。最初に図２を参照すると、流体ポンプ１６は、ダイアフラム型ポンプであり、ハウジング５０と、流体入口マニホルド５２と、流体出口マニホルド５４と、を含む。ハウジング５０は、中央ハウジング部分５６と、第１のポンプ室本体部分５８と、第２のポンプ室本体部分６０と、第１のポンプ室カバー６２と、第２のポンプ室カバー６４と、を含む。流体入口マニホルド５２は、流体導管２４を介して灌注液供給部１２に連結され（図１）、流体出口マニホルド５４は、流体導管２６を介して吸引および灌注ワンド２２に連結される。本開示の態様では、流体入口および出口マニホルド５２、５４は、ねじ６６などを使用してハウジング５０に固定することができる。同様に、ハウジング５０の異なる構成要素は、ナット６８およびボルト７０などを使用して一緒に固定することができる。
【００３５】
図３〜図７も参照すると、流体ポンプ１６は、２つのポンプ室７２、７４を含む（図６）。第１のポンプ室７２は、第１のポンプ室本体部分５８と第１のポンプ室カバー部分６２との間に画定される。第２のポンプ室７４は、第２のポンプ室本体部分６０と第２のポンプ室カバー部分６４との間に画定される。第１のポンプ室７２は、入口開口部７６（図６）および流体出口開口部７８（図６）を画定する。入口および出口開口部７６、７８の各々は、それぞれの逆止弁８０、８２によってそれぞれ封止されている。同様に、第２のポンプ室７４は、逆止弁８８、９０によってそれぞれ封止されている、入口開口部８４および流体出口開口部８６を画定する。
【００３６】
第１のポンプ室７２は、ダイアフラム９２によって、流体キャビティ７２ａと真空キャビティ７２ｂとに分割されている（図６）。本開示の態様では、ダイアフラム９２は、厚さが低減された外側の可撓性部分９４と、第１のピストン９８を支持するように構成されている、より剛性の中央部分９６と、を含む。同様に、第２のポンプ室７４は、ダイアフラム１００によって、流体キャビティ７４ａと真空キャビティ７４ｂとに分割されている（図６）。同様に、本開示のいくつかの態様では、ダイアフラム１００は、厚さが低減された外側の可撓性部分１０２と、第２のピストン１０６を支持するように構成されている、より剛性の中央部分１０４と、を含む。
【００３７】
ハウジング５０の中央ハウジング部分５６および本体部分５８、６０は、第１のポンプ室７２と第２のポンプ室７４との間に延在する内腔１０８（図６）をそれぞれ画定する。内腔１０８は、ブッシング１１０と、第１のピストン９８に固定された第１の端部と第２のピストン１０６に固定された第２の端部とを有するピストンシャフト１１２とを受容する。したがって、第１のポンプ室７２内の第１のピストン９８の動きは、第２のポンプ室７４内の第２のピストン１０６の対応する動きを惹起する。ブッシング１１０の各端部でピストンシャフト１１２の周りに封止材１１４が支持されて、各端部ピストンシャフト１１２において内腔１０８内でピストンシャフト１１２の周りに封止を提供する。
【００３８】
図６を簡単に参照すると、入口マニホルド５２は、第１および第２のポンプ室７２、７４の入口開口部７６、８４とそれぞれ連通する入口５２ａを有する分岐またはＹ字形の流体チャネル１２０を画定する。出口マニホルド５４は、第１および第２のポンプ室７２、７４の出口開口部７８、８６とそれぞれ連通する出口５４ａを有するＹ字形流体チャネル１２２を画定する。逆止弁８０、８２、８８、および９０は、流体が一方向に流れる、すなわち、入口マニホルド５２から第１および第２のポンプ室７２、７４に流入し、第１および第２のポンプ室７２、７４から出口マニホルド５４を通って流出するように構成される。
【００３９】
図３〜図７は、真空室１３０および真空ポート１３２（図７）を画定する、流体ポンプ１６のハウジング５０の中央ハウジング部分５６ならびに第１および第２のポンプ室本体部分５８、６０を示す。真空ポート１３２は、真空室１３０と連通するチャネル１３２ａを画定する。第１のポンプ室本体部分５８は、真空室１３０を第１のポンプ室７２の真空キャビティ７２ｂと連通させる内腔１３４を画定する（図８）。同様に、第２のポンプ室本体部分６０は、真空室１３０を第２のポンプ室７４の真空キャビティ７４ｂと連通させる内腔１３６を画定する。内腔１３４、１３６は、以下により詳細に説明するように、流体ポンプ１６の第１および第２のポンプ室７２、７４の真空キャビティ７２ｂ、７４ｂへの真空の印加を促進するように配置され、第１および第２のポンプ室７２、７４内のダイアフラム９４、１００の動きを制御する。
【００４０】
流体ポンプ１６のハウジング５０の中央ハウジング部分５６（図４）は、真空弁アセンブリ１５０を受容する内腔１４０を画定する。真空弁アセンブリ１５０は、ブッシング１５２、第１および第２の封止部材１５４、弁シャフト１５６、ならびに第１および第２のポンプ室本体部分５８、６０の内腔１３４、１３６を交互に封止するように配置された弁部材１５８、１６０を含む（図５）。弁シャフト１５６は、弁部材１５８を弁部材１６０に接続し、弁部材１５８が第１のポンプ室本体部分５８の内腔１３４を封止するが、第２のポンプ室本体部分６０の内腔１３６は封止されていないままである第１の位置と、弁部材１６０が第２のポンプ室本体部分６０の内腔１３６を封止するが、第１のポンプ室本体部分５８の内腔１３４は封止されていないままである第２の位置との間で可動である。第１および第２の封止部材１５４は、第１のポンプ室７２と第２のポンプ室７４との間の流体漏れを防ぐために、中央ハウジング部分５６の内腔１４０の各端部で弁シャフト１５６の周りに封止を提供する。
【００４１】
流体ポンプ１６のハウジング５０の中央ハウジング部分５６はまた、大気弁アセンブリ１７４を受容する内腔１７０（図４）を画定する。第１および第２のポンプ室本体部分５８、６０は、内腔１８６、１８８を画定する。大気弁アセンブリ１７４は、ブッシング１７６、弁シャフト１８０、および内腔１８６、１８８を交互に封止するように配置された弁部材１８２、１８４を含む。内腔１８６、１８８は、第１および第２のポンプ室７２、７４の真空キャビティ７２ｂ、７４ｂを、第１および第２のポンプ室本体部分５８、６０に形成された大気チャネル１９０（図７）と接続する。弁シャフト１８０は、弁部材１８２を弁部材１８４に接続し、ブッシング１７６内で、弁部材１８２が第１のポンプ室本体部分５８の内腔１８６を封止するが、第２のポンプ室本体部分６０の内腔１８８は封止されていないままである第１の位置と、弁部材１８４が第２のポンプ室本体部分６０の内腔１８８を封止するが、第１のポンプ室本体部分５８の内腔１８６は封止されていないままである第２の位置との間で可動である。
【００４２】
図８および図９は、ダイアフラム１０４が矢印「Ａ」で示される方向に、第２のポンプ室７４の真空キャビティ７４ｂを圧潰する位置まで動いたとき、第２のポンプ室７４内でダイアフラム１０４によって係合されるように配置されている、大気弁アセンブリ１７４の弁シャフト１８０および真空弁アセンブリ１５０の弁部材１６０を示す。ダイアフラム１０４が矢印「Ａ」の方向に図８に示す位置まで動くと、大気弁アセンブリ１７４の弁部材１８４は、第２のポンプ室７４の真空キャビティ７４ｂを大気チャネル１９０に接続する内腔１８８の開封する位置まで動き、かつ弁部材１８２は、第１のポンプ室７２の真空キャビティ７２ｂを大気チャネル１９０に接続する内腔１８６を封止する位置まで動く。同様に、ダイアフラム１０４が図８に示す位置まで動くと、真空弁アセンブリ１５０の弁シャフト１５６は矢印「Ａ」の方向に動いて、真空弁アセンブリ１５０の弁部材１６０を、真空室１３０を真空キャビティ７４ｂに接続する内腔１３６を封止する位置まで動かし、弁部材１５８は、真空室１３０を第１のポンプ室７２の真空キャビティ７２ｂに接続する内腔１３４を開封する位置まで動く。ダイアフラム１００が、真空室７４ｂが圧潰される位置まで動くと、第２のポンプ室７４の流体キャビティ７４ａが拡張して、逆止弁８８を通して流体を流体キャビティ７４ａに引き込む。第１のポンプ室７２内のダイアフラム９４が矢印「Ａ」で示される方向に動くと、灌注液は、第１のポンプ室７２の流体キャビティ７２ａから逆止弁８２を通って流体出口マニホルド５４内に押し込まれる。
【００４３】
図１０および図１１は、弁部材１５８が内腔１３４を開封し、弁部材１８４が内腔１８８を開封するときの弁部材１５８および１８４（図８）を示す。これが発生すると、第１のポンプ室７２の真空キャビティ７２ｂに真空が引かれ、第２のポンプ室７４の真空キャビティ７４ｂが通気される。これは、第１および第２のポンプ室７２、７４の真空キャビティ７２ｂ、７４ｂ間の圧力差を創出し、これは、第１のポンプ室７２内のダイアフラム９２を、図１０および図１１の矢印「Ｂ」の方向に動かして、第１のポンプ室７２の真空キャビティ７２ｂを圧潰する。真空キャビティ７２ｂが圧潰すると、第１のポンプ室７２の流体キャビティ７２ａが膨張して、第１の逆止弁８０を通して灌注液を流体キャビティ７２ａに引き込む（図１１）。ダイアフラム９４が図１０の矢印「Ｂ」で示される方向に動いて、矢印「Ｂの方向にピストンシャフト１１２を動かすと、ピストンシャフト１１２は、第２のポンプ室７４内のダイアフラム１００の対応する動きを惹起し、第２のポンプ室７４の流体キャビティ７４ａから逆止弁９０を通して灌注液を押し出す（図１１）。ダイアフラム１００の動きは、第２のポンプ室７４の真空キャビティ７４ｂの膨張も引き起こす。
【００４４】
ダイアフラム１０４と同様に、ダイアフラム９４は、ダイアフラム９４が矢印「Ｂ」で示される方向に動いたときに、大気弁アセンブリ１７４の弁シャフト１８０と真空弁アセンブリ１５０の弁部材１５８とを係合させ、第２のポンプ室７４の真空室７４ｂを真空室１３０に接続する内腔１３０を開封し、かつ第１のポンプ室７２の真空キャビティ７２ｂを接続する内腔１８６を開封するように配置される。再び、第１および第２のポンプ室７２、７４の真空キャビティ７２ｂ、７４ｂ内のこの圧力差により、ダイアフラム９４は方向を変え、矢印「Ａ」の方向に動く（図８）。ダイアフラム９４および１００は、このように動作し続けて、灌注および吸引ワンド２２（図１）への灌注液の加圧供給を提供する。
【００４５】
図１２および図１３は、概して流体ポンプ２１６として示される代替流体ポンプを含む、概して２００として示される代替吸引および灌注システムを示す。吸引および灌注システム２００では、流体ポンプ２１６は、ベース部材２１８と、圧縮部材２２０と、ベローズ２２２と、を含む。圧縮部材２２０は、様々な構成を有し得るピボット部材２２１によってベース部材２１８上に枢動可能に支持される第１の端部２２０ａを有する。灌注液供給部２１２は、灌注液を受容する容器を画定する圧縮可能なパウチ２２４を含む。圧縮可能なパウチ２２４は、ベース部材２１８と圧縮部材２２０との間に支持されている。本開示の態様では、圧縮可能なパウチ２２４は、ベース部材２１８も支持するフック部材２３０上に支持されている。代替的に、フックまたは他のタイプの連結部材を使用して、圧縮可能パウチ２２４をベース部材２１８上に支持することができる。
【００４６】
ベローズ２２２は、ピボット部材２２１とは反対側の、ベース部材２１８および圧縮部材２２０の端部に固定されている。ベローズ２２２は、圧縮可能パウチ２２４内の灌注液を加圧するために、圧縮部材２２０をベース部材２１８に対して枢動させるために、収縮構成と拡張構成との間で可動である。本開示の態様では、ベローズ２２２は、ベローズ２２２の膨張および収縮を制御するために、流体導管２８によって真空源１４に接続されている。本開示の態様では、ベローズ２２２内の圧力は、圧縮可能パウチ２２４内の灌注液の圧力を一定に維持するために、真空源１２を用いて制御される。
【００４７】
真空補助吸引および灌注システム１０および２００は、実質的に同様の方法で動作する。より具体的には、臨床医は、吸引および灌注ワンド２２の近位本体部分３４を把持し、ワンドを操作して、遠位本体部分４０の遠位端を手術部位（図示せず）に隣接して配置する。図示されていないが、これは、カニューレアセンブリを通して吸引および灌注ワンド２２の遠位本体部分４０を挿入して、手術部位にアクセスすることを含み得る。臨床医が、例えば、血液または破片を除去するために、手術部位での吸引を必要とする場合、臨床医は、吸引弁３６を作動させて、材料を、手術部位から吸引および灌注ワンド２２のチャネル４２内に引き込むことができる。吸引および灌注ワンド２２に引き込まれたすべての材料は、流体導管３２を介して吸引容器２０に送達される。臨床医が、例えば手術部位の可視化を向上させるために、灌注液を必要とする場合、臨床医は、灌注弁３８を作動させて、流体を、吸引および灌注ワンド２２の遠位本体部分４０のチャネル４２に送達することができる。両方のシステムにおいて、真空源１４からの真空は、灌注液を吸引および灌注ワンド２２に供給するために灌注液を加圧することを支援する。
【００４８】
図１４〜図２１は、開示された真空補助吸引および灌注システム（図１）との使用に好適な流体ポンプ３１６として概して示される代替流体ポンプを示す。流体ポンプ３１６は、ハウジング３５０と、流体入口マニホルド３５２と、流体出口マニホルド３５４と、を含む。ハウジング３５０は、中央ハウジング部分３５６（図１６）と、第１の本体部分３５８と、第２の本体部分３６０と、第１のカバー３６２と、第２のカバー３６４と、を含む。流体入口マニホルド３５２は、流体導管３２４を介して灌注液供給部１２（図１）に連結され、流体出口マニホルド３５４は、流体導管３２６を介して吸引および灌注ワンド２２（図１）に連結される。本開示のいくつかの態様では、流体入口および出口マニホルド３５２、３５４は、ねじ３６６（図１６）を使用してハウジング３５０に固定することができ、ハウジング３５０の構成要素は、ナット３６８およびボルト３７０を使用して一緒に固定することができる。
【００４９】
流体ポンプ３１６のハウジング３５０は、２つのポンプ室３７２、３７４（図１８）を画定する。第１のポンプ室３７２は、第１の本体部分３５８と第１のカバー部分３６２との間に画定され、第２のポンプ室３７４は、第２の本体部分３６０と第２のカバー部分３６４との間に画定される。第１のポンプ室３７２は、入口開口部３７６（図１８）および流体出口開口部３７８（図２０）を画定する。入口および出口開口部３７６、３７８の各々は、それぞれ逆止弁３８０、３８２によって封止されている。同様に、第２のポンプ室３７４は、それぞれ逆止弁３８８、３９０によって封止される、流体入口開口部３８４および流体出口開口部３８６を画定する。
【００５０】
第１のポンプ室３７２は、ダイアフラム３９２によって、流体キャビティ３７２ａと真空キャビティ３７２ｂとに分割されている。ダイアフラム３９２は、厚さが低減された外側の可撓性部分３９４と、第１のピストンまたはシャフトホルダ３９８を支持するように構成されている、中央のより剛性の部分３９６と、を含む。第２のポンプ室３７４は、ダイアフラム４００によって、流体キャビティ３７４ａと真空キャビティ３７４ｂとに分割されている。ダイアフラム４００は、厚さが低減された外側の可撓性部分４０２と、ピストンまたはシャフトホルダ４０６を支持するように構成されている、中央のより剛性の部分４０４と、を含む。
【００５１】
本開示の態様では、ハウジング３５０の中央ハウジング部分３５６は、それぞれ第１および第２のポンプ室３７２、３７４間に延在する内腔４０８（図１９）を画定する。内腔４０８は、シャフトホルダ３９８に固定された第１の端部と、シャフトホルダ４０６に固定された第２の端部と、を有する、ピストンシャフト４１０を受容する。したがって、第１のポンプ室３７２内での第１のシャフトホルダ３９８の動きは、第２のポンプ室３７４内でのシャフトホルダ４０６の対応する動きを引き起こす。
【００５２】
図１８は、流体ポンプ３１６の断面図を示している。示されるように、入口マニホルド３５２は、それぞれ第１および第２のポンプ室３７２、３７４の入口開口部３７６、３８４と連通する分岐またはＹ字形の流体チャネル４２０を画定する。出口マニホルド３５４は、第１および第２のポンプ室３７２、３７４の出口開口部３７８、３８６とそれぞれ連通する出口４２２ａを有するＹ字形流体チャネル４２２を画定する。逆止弁３８０、３８２、３８８、および３９０は、流体が流体ポンプ３１６のハウジング３５０を通って一方向に、すなわち、入口マニホルド３５２から第１および第２のポンプ室３７２、３７４へ、および出口マニホルド３５４を通って第１および第２ポンプ室３７２、３７４から外へ流れることを可能にするように構成されている。
【００５３】
図１９は、ハウジング３５０内に画定された真空室４３０を示す流体ポンプ３１６の断面図を示している。流体ポンプ３１６のハウジング３５０の中央ハウジング部分３５６ならびに第１および第２の本体部分３５８、３６０は、真空室４３０および真空ポート４３２を画定する。真空ポート４３２は、導管３２８（図１４）によって、真空源１４（図１）に連結されている。図１４に示すように、使用中、導管３２８は、垂直に配向され、ハウジング３１６の下端から延在する。
【００５４】
真空ポート４３２は、真空室４３０と連通するチャネル４３２ａを画定する。第１の本体部分３５８は、真空室４３０を第１のポンプ室３７２の真空キャビティ３７２ｂと連通させる内腔４３４を画定する。同様に、第２の本体部分３６０は、真空室４３０を第２のポンプ室３７４の真空キャビティ３７４ｂと連通させる内腔４３６を画定する。内腔４３４、４３６は、以下により詳細に説明するように、流体ポンプ１６の第１および第２のポンプ室３７２、３７４の真空キャビティ３７２ｂ、３７４ｂに真空を印加して、第１および第２のポンプ室３７２、３７４内のダイアフラム３９４、４００の動きを制御するように提供される。
【００５５】
流体ポンプ３１６のハウジング３５０の中央ハウジング部分３５６は、真空弁アセンブリ４５０を受容する内腔４４０を画定する。真空弁アセンブリ４５０は、弁シャフト４５６、ならびに第１および第２の本体部分３５８、３６０の内腔４３４、４３６を交互に封止するように配置された弁部材４５８、４６０を含む。弁シャフト３５６は、弁部材４５８を弁部材４６０に接続し、弁部材４５８が第１の本体部分３５８の内腔４３４を完全に封止するが、第２の本体部分３６０の内腔４３６は封止されていないままである第１のエンドストローク位置と、弁部材４６０が第２の本体部分３６０の内腔４３６を完全に封止するが、第１の本体部分３５８の内腔４３４は封止されていないままである第２のエンドストローク位置との間で可動である。本明細書で使用するとき、「エンドストローク位置」は、弁シャフトが、そのストロークの端部のうちの一方にあり、一方の弁が完全に開いており、他方の弁が完全に閉じた状態である位置を意味する。
【００５６】
流体ポンプ３１６のハウジング３５０の中央ハウジング部分３５６は、大気弁アセンブリ４７４を受容する内腔４７０（図１９）も画定する。第１および第２の本体部分３５８、３６０は、それぞれ内腔４８６、４８８を画定する。大気弁アセンブリ４７４は、弁シャフト４８０、および弁シャフト４８０がそのエンドストローク一間で動く際、内腔４８６、４８８を交互に封止するように配置されている弁部材４８２、４８４を含む。内腔４８６、４８８は、第１および第２のポンプ室３７２、３７４の真空キャビティ３７２ｂ、３７４ｂを、第１および第２の本体部分３５８、３６０に形成された大気チャネル４９０と接続する。弁シャフト４８０は、弁部材４８２を弁部材４８４に接続し、弁部材４８２が第１の本体部分３５８の内腔４８６を封止するが、第２の本体部分３６０の内腔４８８は封止されていないままである第１のエンドストローク位置（図２１）と、弁部材４８４が第２の本体部分３６０の内腔４８８を完全に封止するが、第１の本体部分３５８の内腔４８６は封止されていないままであるエンドストローク第２の位置（図１９）との間で、内腔４７０内で可動である。
【００５７】
図１８および図１９を参照すると、ダイアフラム４００が、矢印「Ｊ」によって示される方向において、第２のポンプ室３７４の真空キャビティ３７４ｂを圧潰する位置まで動いたとき、第２のポンプ室３７４内に配置されている大気弁アセンブリ４７４の弁シャフト４８０および真空弁アセンブリ４５０の弁シャフト４５６は、シャフトホルダ４０６によって係合される。シャフトホルダ４０６が矢印「Ｊ」の方向において動く際、大気弁アセンブリ４７４の弁部材４８４は、第２のポンプ室３７４の真空キャビティ３７４ｂを大気チャネル４９０に接続する内腔４８８を開封する位置まで動き、かつ弁部材４８２は、第１のポンプ室３７２の真空キャビティ３７２ｂを大気チャネル４９０に接続する内腔４８６を封止する位置まで動く。同様に、シャフトホルダ４０６が矢印「Ｊ」の方向において動く際、真空弁アセンブリ４５０の弁シャフト４５６は、真空弁アセンブリ４５０の弁部材４６０を、真空室４３０を真空キャビティ３７４ｂに接続する内腔４３６を封止する位置まで動かし、弁部材４５８は、真空室４３０を第１のポンプ室３７２の真空キャビティ３７２ｂに接続する内腔４３４を開封する位置まで動く。第２のポンプ室３７４内のダイアフラム４００が、真空室３７４ｂが圧潰される位置まで動く際、ポンプ室３７４の流体キャビティ３７４ａが拡張して、逆止弁３８８を通して流体キャビティ３７２ａに流体を引き込む（図１８）。第２のポンプ室３７４内のダイアフラム３９４が矢印「Ｊ」によって示される方向に移動する際、灌注液は、第１のポンプ室３７２の流体キャビティ３７２ａから逆止弁３８２を通って流体出口マニホルド３５４に押し込まれる。
【００５８】
真空弁アセンブリ４５０の弁シャフト４５６が、図１９に示す位置に移動して、内腔４３４が開封され、内腔４３６が封止されるとき、第１ポンプ室の真空キャビティ３７２ｂは、真空室４３０と連通して、第１のポンプ室３７２の真空キャビティ３７２ｂに真空を引き込み、第２のポンプ室３７４の真空キャビティ３７４ｂが通気される。図２０および２１に示されるように、それぞれ第１および第２のポンプ室３７２、３７４の真空キャビティ３７２ｂ、３７４ｂ内のこの圧力の差により、第１のポンプ室３７２内のダイアフラム３９２が矢印「Ｋ」の方向に動き、第１のポンプ室３７４の真空キャビティ３７２ｂを圧潰する。真空キャビティ３７２ｂが圧潰すると、第１のポンプ室３７２の流体キャビティ３７２ａが膨張して、第１の逆止弁３８０を通して灌注液を流体キャビティ３７２ａに引き込む（図２０）。ダイアフラム３９４が矢印「Ｋ」によって示される方向に動く際、ピストンシャフト４１０は、第２ポンプ室３７４内のダイアフラム４００の対応する動きを引き起こして、第２ポンプ室３７４の流体キャビティ３７４ａから、逆止弁３９０（図２０）を通って、かつ出口マニホルド３５４内へ潅注液を押し込む。ダイアフラム４００が矢印「Ｋ」の方向に動く際、第２のポンプ室３７４の真空キャビティ３７４ｂは、開放弁４８２を介して内腔４８６（図２１）を通して通気される。
【００５９】
シャフトホルダ４０６に関して上述したように、シャフトホルダ３９８は、シャフトホルダ３９８が、第１のポンプ室３７２内のそのエンドストローク位置に近付くとき、大気弁アセンブリ４７４の弁シャフト４８０の端部と、真空弁アセンブリ４５０の弁シャフト４５６の端部とを係合させるように配置される。これにより、内腔４３６が開封されて、第２ポンプ室３７４の真空室３７４ｂを真空室４３０に接続し、内腔４８６を封止して、第１のポンプ室３７２の真空キャビティ３７２ｂを大気チャネル４９０に接続する。再び、第１および第２のポンプ室３７２、３７４の真空キャビティ３７２ｂ、３７４ｂ内のこの圧力の差により、ダイアフラム３９４は、矢印「Ｊ」（図１９）の方向における動きに方向を変えて、ポンプサイクルを再起動する。ダイアフラム３９４および４００は、このように動作し続けて、灌注および吸引ワンド２２（図１）への灌注液の加圧供給を提供する。
【００６０】
ダイアフラム３９２は、シャフトホルダ３９８と共にピストンアセンブリ５００を形成する。本開示の特定の態様では、ピストンアセンブリ５００はまた、ダイアフラム３９２とは反対側のシャフトホルダ３９８の側面に固定されている付勢機構５０２を含む。本開示のいくつかの態様では、ダイアフラム３９２とは反対側のシャフトホルダ３９８の側面は、環状ばね５０６および環状プレート５０８を含む付勢機構５０２を受容する、環状凹部５０４を画定する。環状プレート５０８は、後退位置と前進位置との間で動くために、環状凹部５０４内に付勢機構５０２を固定するようにロックプレート５１２によって係合される環状肩部５１０を含む。環状ばね５０６は、環状凹部５０４内に受容され、環状ばねプレート５０８をハウジング３５０の第１の本体部分３５８に向かって内向きに促す。ロックプレート５１２は、ねじなどでシャフトホルダ３９８に固定することができ、ばねプレート５０８の肩部５１０と係合して、ばねプレート５０８を環状凹部５０４内に保持するように配置される。環状ばね５０６は、１つ以上の波ばねの形態であり得るが、他のばねタイプの使用が想定される。
【００６１】
ダイアフラム４００は、シャフトホルダ４０６と共にピストンアセンブリ５２０を形成する。ピストンアセンブリ５２０はまた、ダイアフラム４００とは反対側のシャフトホルダ４０６の側面に固定されている付勢機構５２２を含む。ダイアフラム４００とは反対側のシャフトホルダ４０６の側面は、環状ばね５２６および環状ばねプレート５２８を含む付勢機構５２２を受容する、環状凹部５２４を画定する。環状ばねプレート５２８は、後退位置と前進位置との間で動くために、環状凹部５２４内に付勢機構５２２を固定するようにロックプレート５３２によって係合される環状肩部５３０を含む。環状ばね５２６は、環状凹部５２４内に受容され、環状ばねプレート５２８を、ハウジング３５０の第２の本体部分３６０に向かって、内向きにその前進位置に向かって促す。ロックプレート５３２は、ねじなどによってシャフトホルダ４０６に固定することができ、ばねプレート５２８の肩部５３０に係合して、ばねプレート５２８を環状凹部５２４内に保持するように配置される。環状ばね５０６と同様に、環状ばね５２６は、１つ以上の波形ばねの形態であり得るが、他のタイプのばねの使用が想定される。付勢機構５０２および５２２の目的および動作は、以下でさらに詳細に説明される。
【００６２】
図２１に示すように、第１および第２のポンプ室３７２、３７４内に配置された真空弁アセンブリ４５０の弁シャフト４５６および大気弁アセンブリ４７４の弁シャフト４８０の両端部は、それぞれフレーム部材５４０および５４２によって一緒に固定されている。フレーム部材５４０および５４２は、強磁性材料で形成されており、弁シャフト４５６および４８０を一緒に連結して、真空弁アセンブリ４５０および大気弁アセンブリ４７４を統一された動きに制限するように機能する。
【００６３】
第１および第２のカバー３６２および３６４は各々、ピストンアセンブリ５００および５２０のうちの一方をそのエンドストローク位置に引き付けるように配置されている外側磁石５５０および５５２をそれぞれ支持する。ピストンアセンブリ５００は、強磁性材料で形成されているピストンプレート５６０を含み、ピストンアセンブリ５２０は、強磁性材料で形成されたピストンプレート５６２を含む。磁石５５０および５５２は、流体ポンプ３１６が停止したときに、ピストンアセンブリ５００および５２０が、それらのエンドストローク位置にあることを確実にするように配置される。ピストンアセンブリ５００および５２０がそれらのエンドストローク位置にあるとき、弁アセンブリ４５０および４７４はまた、弁４５６、４５８、４８２および４８４が完全に開いたまたは完全に閉じた位置にある状態で、それらのエンドストローク位置に付勢され、かつ保持される。
【００６４】
第１および第２のハウジング部分３５８、３６０の各々はまた、それぞれ内側磁石５７０および５７２を支持する（図２１）。本開示の特定の態様では、内側磁石５７０および５７２は、環状であり、フレーム部材５４０および５４２を引き付けて、流体ポンプ３１６の動作中に、それぞれの弁アセンブリ４５０および４７４の開閉を遅延させるように配置されている。より具体的には、ピストンシャフト４１０が方向を変えて、流体ポンプ３１６の失速の可能性を最小化するようにより長い期間、弁４５６、４５８、４８２、および４８４をそれらの完全に開いたまたは完全に閉じた位置に維持するとき、内側磁石５７０および５７２は、それらのエンドストローク位置で弁シャフト４５６および４８０を保持する。
【００６５】
付勢機構５０２、５２２はまた、弁４５６、４５８、４８２、および４８４の開閉を遅延させる。より具体的には、付勢機構５０２、５２２は、ピストンアセンブリ５００および５２０がハウジング３５０の第１および第２の本体部分３５８および３６０に隣接して配置されるとき、それぞれのフレーム部材５４０、５４２と係合して、フレーム部材５４０、５４２と、フレーム部材５４０、５４２が連結されるそれぞれの弁アセンブリ４５０および４７４とを、それらのエンドストローク位置に促す。流体ポンプ３１６のピストンシャフト４１０がエンドストローク位置にあるとき、付勢機構５０２、５２２の環状プレート５０８、５２８のうちの１つは、ピストンシャフト４１０が方向を変えるとき、それぞれのフレーム部材５４０、５４２に係合して、それぞれのフレーム部材５４０、５４２と、それぞれの弁アセンブリ４５０および４７４とを、それらのエンドストローク位置に維持する。この係合は、付勢機構５０２、５２２のばね５０６および５２６が拡張するときに維持され、ピストンシャフト４１０およびピストンアセンブリ５００、５２０が、流体ポンプ３１６の動作中に、流体ポンプ３１６の本体３５０内で方向を変えるときに、それぞれの弁アセンブリ４５０および４７４の開閉を遅延させる。より具体的には、ピストンアセンブリ５００がハウジング３５０の第１の本体部分３５８に向かって動くとき、付勢機構５０２のプレート５０８は、フレーム部材５４０に係合し、フレーム部材５４０を第１の本体部分３５８に向かって押して、弁アセンブリ４５０および４７４をエンドストローク位置に動かす。ピストンアセンブリ５００、５２０がそれらの運動を逆転させるとき、内側磁石５７０および付勢機構５０２、５２２は、ハウジング３５０の第１の本体部分３５８に対して所定の位置にフレーム５４０を保持する一方、ピストンアセンブリ５００、５２０は、方向を変え始めて、弁アセンブリ４５０および４７４をそれらの現在のエンドストローク位置に維持する。磁石５５０、５５２、５７０、および５７２は、ピストンアセンブリ５００、５２０が、流体ポンプ３１６の再起動を容易にするように、流体ポンプ３１６が停止したときに遷移していない（すなわち、完全に開いた位置と完全に閉じた位置との間を）ことを確実にする。付勢機構５０２および５２２は、遷移損失を低減するために、ピストンシャフト４１０のストロークの約１ｍｍだけ弁アセンブリ４５０および４７４の遷移を遅延させるように構成される。
【００６６】
付勢機構５０２および５２２、フレーム部材５４０および５４２、ならびに磁石５５０、５５２、５７０、および５７２は、弁アセンブリ１５０および１７４が遷移状態にある（すなわち、第１および第２のポンプ室３７２および３７４の真空キャビティ３７２ｂおよび３７４ｂ内の真空状態を制御する弁のすべてが開いているとき、またはそれらのエンドストローク位置の間にあるとき）ピストンシャフト４１０のストロークの部分を最小化する。遷移状態は、真空キャビティ３７２ｂおよび３７４ｂの両方から真空を枯渇させる。この位置では、ポンプ３１６は、決して再起動しない。上記の機構は、遷移状態での流体ポンプの停止を防止する。
【００６７】
当業者であれば、本明細書において具体的に説明され、添付の図面に例示される装置および方法が、本開示の非限定的な例示的な態様であることを理解するであろう。本開示の１つの例示的な態様に関連して例示または記載される要素および特徴は、本開示の範囲から逸脱することなく、別の要素および特徴と組み合わせることができることが想到される。同様に、当業者であれば、本開示の上述の開示の態様に基づく本開示の更なる特徴および利点を理解するであろう。したがって、本開示は、添付の特許請求の範囲によって示される場合を除いて、具体的に図示および記載されているものによって限定されるものではない。
【図１】
2020065934.tif 000003
【図２】
2020065934.tif 000004
【図３】
2020065934.tif 000005
【図４】
2020065934.tif 000006
【図５】
2020065934.tif 000007
【図６】
2020065934.tif 000008
【図７】
2020065934.tif 000009
【図８】
2020065934.tif 000010
【図９】
2020065934.tif 000011
【図１０】
2020065934.tif 000012
【図１１】
2020065934.tif 000013
【図１２】
2020065934.tif 000014
【図１３】
2020065934.tif 000015
【図１４】
2020065934.tif 000016
【図１５】
2020065934.tif 000017
【図１６】
2020065934.tif 000018
【図１７】
2020065934.tif 000019
【図１８】
2020065934.tif 000020
【図１９】
2020065934.tif 000021
【図２０】
2020065934.tif 000022
【図２１】
2020065934.tif 000023
【外国語明細書】
2020065934000001.pdf